(57)【要約】【課題】作業者が躓く問題を防止することができ、且つ、足場板の段差部への取り付けが容易な作業足場における足場板の段差吸収プレートを提供する。【解決手段】建築躯体の外側に沿うように配置した支柱に固定された横材２上に、下側の足場板３と上側の足場板３が重ねて配置されることにより歩行面に段差部５が形成される作業足場における足場板の段差吸収プレートであって、段差吸収プレート８は弾力性材料からなるプレート本体９によって形成されており、プレート本体９は、上側の足場板３の端部３'と下側の足場板３の上面との間に形成された段差部５に嵌合する嵌合部１０を有し、且つ上側の足場板３の端部３'上端近傍から下側の足場板３の上面に向かって下り勾配に形成された傾斜踏み面１１を有し、更に、上側の足場板３と下側の足場板３の間に挾持される挾持部１２（係止手段）を有する。【選択図】図１
2011052369.tif 000002
【特許請求の範囲】
【請求項１】
建築躯体の外側に沿うように配置した支柱に固定された横材上に、下側の足場板と上側の足場板が重ねて配置されることにより歩行面に段差部が形成される作業足場における足場板の段差吸収プレートであって、段差吸収プレートは弾力性材料からなるプレート本体によって形成されており、該プレート本体は、上側の足場板の端部と下側の足場板の上面との間に形成された段差部に嵌合する嵌合部を有し、且つ上側の足場板の端部上端近傍から下側の足場板の上面に向かって下り勾配に形成された傾斜踏み面を有し、更に、上側の足場板と下側の足場板の少なくとも一方に係止可能な係止手段を有することを特徴とする作業足場における足場板の段差吸収プレート。
【請求項２】
係止手段は、上側の足場板の端部と下側の足場板の下部との間に挾持されるようにプレート本体に一体に形成された挾持板であることを特徴とする請求項１に記載の作業足場における足場板の段差吸収プレート。
【請求項３】
係止手段は、足場板が上面に孔を有する金属製の足場板である場合に、上側の足場板の上面に延長した延長部がプレート本体に形成され、前記延長部の下面に、金属製の足場板の上面に有する孔に嵌合する係止突部を備えたことを特徴とする請求項１に記載の作業足場における足場板の段差吸収プレート。
【請求項４】
プレート本体は、ゴム系材料又は樹脂材料で形成されていることを特徴とする請求項１〜３のいずれか１項に記載の作業足場における足場板の段差吸収プレート。
【発明の詳細な説明】
【技術分野】
【０００１】
本発明は、建設現場における建築躯体の外側面に沿って架設される作業足場に備えられる足場板の端部が上下に重なって配置されることにより生じる段差を解消するための作業足場における足場板の段差吸収プレートに関する。
【背景技術】
【０００２】
種々の構造物を建設する建設現場では作業足場を架設することが一般に行われている。図３（ａ）、（ｂ）は作業足場の一例を示したもので、作業足場５０は、建築躯体５１の外側に沿うように鉛直な支柱１を所要の間隔で配置すると共に、該支柱１には足場板を支持するための水平方向に延びる単管パイプ或いは支持ブラケット等からなる横材２をクランプ具等を用いて固定し、該横材２上に例えば木製の足場板３ａからなる足場板３を載置して作業者が通行できるようにしている。上記木製の足場板３ａには長さが３．６ｍ、幅が２０ｃｍ、厚さが３．５ｃｍのものが一般に用いられており、法規で定められた歩行幅４０ｃｍ以上を確保するために、通常は図３（ｂ）に示すように２枚の足場板３ａを横並びに配置するようにしている。
【０００３】
又、前記木製の足場板３ａに代えて、図４に示すような表面に孔４を備えたアルミニウム材、或いは網目鋼材等からなる金属製の足場板３ｂも用いられている。金属製の足場板３ｂは長さが２．０ｍ〜４．０ｍ、幅が２５ｃｍ、厚さが４．０ｃｍのものが一般に用いられている。
【０００４】
上記足場板３は、建築躯体の高さに応じて所要の段数（複数作業フロア）に配置する場合、或いは、建築躯体の外側面に沿って同一方向に連続的に旋回通行できるように配置する場合がある。又、足場板３は、図５に示すように、上側の足場板３と下側の足場板３とが交差して配置されるようにした場合もある。
【０００５】
足場板３は作業者が移動するための歩廊となるものであるため、面一な歩行面が形成されるように配置されることが好ましいが、実際には図３（ａ）、（ｂ）に示すように一方の足場板３の端部上に他方の足場板３の端部を直線上で重ねるように配置したり、或いは図５に示すように足場板３，３を交差させて上下に配置するようにしているために、下側の足場板３と上側の足場板３との重なり部における歩行面となる上面には段差部５が形成されている。
【０００６】
図３（ａ）、（ｂ）のように重ねられた足場板３，３の端部同士は、図６に示すような両端に係止金具６ａ，６ｂを備えたゴムバンド７、或いは番線等の固縛材を用いて固縛するようにしている。
【０００７】
上記足場板３上を通行する作業員は、建設資材等を抱えて移動することが多いために前が見え難かったり、建設資材等が支柱１等と干渉しないように注意を払って移動することによって足元への注意が不十分となるために、足場板３の段差部５に躓いて、建設資材等を落下させたり、足場板３を踏み外したり、転倒するといった問題を生じる可能性がある。
【０００８】
このような、問題を解消するために、足場板のうち２枚の足場板の端部が上下に重なって生じた段差上に配置される段差用ステップ板であって、一方の端部を上部の足場板の上に、他方の端部を下部の足場板の上に重ね、裏面には、下部の足場板に係合可能な保持具を取り付けたものがある（特許文献１参照）。
【先行技術文献】
【特許文献】
【０００９】
【特許文献１】特開２００３−１７２０２３号公報
【発明の概要】
【発明が解決しようとする課題】
【００１０】
しかし、上記特許文献１に記載の段差用ステップ板では、段差部に傾斜スロープを形成するために、金属或いはその他の高強度板によって段差用ステップ板を形成する必要があり、このような金属等の高強度板で形成した段差用ステップ板は、特に雨等で濡れた場合に滑り易くなるという問題がある。
【００１１】
又、前記段差用ステップ板は、金具によって足場板に固定するようにしているために、金具の構造が複雑になってコストが増加すると共に、金具による取り付け・取り外しが面倒であり、作業足場に多数配置される各足場板の段差部に対する段差用ステップ板の装着・取り外しに時間が掛るために、その分工期が延長されるという問題がある。
【００１２】
本発明は、上記従来の問題点に鑑みてなしたもので、作業者が躓く問題を防止することができ、且つ、足場板の段差部への取り付けが容易な作業足場における足場板の段差吸収プレートを提供しようとするものである。
【課題を解決するための手段】
【００１３】
本発明は、建築躯体の外側に沿うように配置した支柱に固定された横材上に、下側の足場板と上側の足場板が重ねて配置されることにより歩行面に段差部が形成される作業足場における足場板の段差吸収プレートであって、段差吸収プレートは弾力性材料からなるプレート本体によって形成されており、該プレート本体は、上側の足場板の端部と下側の足場板の上面との間に形成された段差部に嵌合する嵌合部を有し、且つ上側の足場板の端部上端近傍から下側の足場板の上面に向かって下り勾配に形成された傾斜踏み面を有し、更に、上側の足場板と下側の足場板の少なくとも一方に係止可能な係止手段を有することを特徴とする作業足場における足場板の段差吸収プレート、に係るものである。
【００１４】
上記作業足場における足場板の段差吸収プレートにおいて、係止手段は、上側の足場板の端部と下側の足場板の下部との間に挾持されるようにプレート本体に一体に形成された挾持板であってもよい。
【００１５】
又、上記作業足場における足場板の段差吸収プレートにおいて、係止手段は、足場板が上面に孔を有する金属製の足場板である場合に、上側の足場板の上面に延長した延長部がプレート本体に形成され、前記延長部の下面に、金属製の足場板の上面に有する孔に嵌合する係止突部を備えていてもよい。
【００１６】
又、上記作業足場における足場板の段差吸収プレートにおいて、プレート本体は、ゴム系材料又は樹脂材料で形成されていてもよい。
【発明の効果】
【００１７】
本発明の作業足場における足場板の段差吸収プレートによれば、段差部に設置されるプレート本体に備えた傾斜踏み面によって足場板端部の重ね部における段差部が解消され、よって、作業者は足場板上を安全に移動することができ、更に、簡単な構成のプレート本体は足場板の段差部への設置作業が容易であり、更に、プレート本体が弾力性材料からなり且つ係止手段を備えたことにより、段差部へ設置したプレート本体が設置位置から移動する問題を防止できるという優れた効果を奏し得る。
【図面の簡単な説明】
【００１８】
【図１】（ａ）は本発明の段差吸収プレートを足場板の段差部に設置した状態を示す正面図、（ｂ）は（ａ）の段差吸収プレートを斜め上方から見た斜視図である。
【図２】（ａ）は本発明の他の段差吸収プレートを金属製足場板の段差部に設置した状態を示す正面図、（ｂ）は（ａ）の段差吸収プレートを斜め下方から見た斜視図である。
【図３】（ａ）は作業足場の横材上に足場板を設置した状態を示す正面図、（ｂ）は（ａ）の足場板を斜め上方から見た斜視図である。
【図４】金属製の足場板の一例を示す上面斜視図である。
【図５】足場板が交差するように配置されている場合の説明図である。
【図６】重ねられた足場板の端部同士を固縛するゴムバンドからなる固縛材の一例を示す説明図である。
【発明を実施するための形態】
【００１９】
以下、本発明の実施の形態を図示例と共に説明する。
【００２０】
図１（ａ）、（ｂ）は本発明の段差吸収プレートの一実施例を示すものであり、図３〜図６に示したものと同一のものには同じ符号を付して説明を省略する。図１（ａ）、（ｂ）の段差吸収プレート８は、弾力性材料からなるプレート本体９によって形成している。このプレート本体９は、上側の足場板３の端部３'と下側の足場板３の上面との間に形成される段差部５に嵌合する嵌合部１０を有している。嵌合部１０は下側の足場板３の上面に当接する平坦な下面１０ａと、該下面１０ａと直交して前記上側の足場板３の端面に当接する垂直面１０ｂとを有している。更に、前記嵌合部１０の上部には、上側の足場板３の端部３'近傍から下側の足場板３の上面に向かって下り勾配に形成された傾斜踏み面１１を有しており、これにより嵌合部１０は、側面形状が略三角形を有している。更に、前記嵌合部１０の下面１０ａに近い垂直面１０ｂの位置には、前記傾斜踏み面１１とは反対方向に前記下面１０ａと面一に延びて上側と下側の足場板３，３に挾持される薄肉の挾持板１２を一体に備えることにより係止手段を構成している。段差部５に配置したプレート本体９は、傾斜踏み面１１の上端が上側の足場板３の端部３'の上端に一致するように形成されている。
【００２１】
前記プレート本体９は、ゴム系材料、或いは発泡性のエポキシ樹脂、ウレタン樹脂、ポリエチレン樹脂、ポリプロピレン樹脂等のような発泡樹脂材料からなる弾力性材料によって形成されており、所要の弾力性と所要の強度を有するものであれば種々の材料を用いることができる。更に、プレート本体９の踏み面１１、下面１０ａ及び挾持板１２の上面には滑り止めのための凹凸を備えてもよく、又、プレート本体９が発泡樹脂材料で形成されている場合には、踏み面１１、下面１０ａ及び挾持板１２の上面に滑り止めのためのコーティングを施してもよい。前記プレート本体９は、前記１枚の足場板３の幅と同等の幅で形成されていてもよく、又、２枚の足場板３を横に並べた幅と同等の幅（前記に対して２倍の幅）に形成されていてもよい。
【００２２】
上記図１（ａ）、（ｂ）に示した実施例の作用を説明する。
【００２３】
図３（ａ）、（ｂ）に示したように、足場板３の端部同士を重ねて配置する際に、図１（ａ）に示すように、プレート本体９の挾持板１２が下側の足場板３と上側の足場板３の端部３'との間に挾持されるように、且つ、垂直面１０ｂが上側の足場板３の端面に当節するようにして、段差部５にプレート本体９を配置する。上記プレート本体９は足場板３の端部を重ねて配置する際に同時に相互間に挾持板１２を挟み込むように配置してもよく、又、足場板３を重ねて配置し終えた後で、上側の足場板３の端部３'を持ち上げながら挾持板１２を差込むようにプレート本体９を配置してもよい。このとき、足場板３の端部は片手で持ち上げることができるので、プレート本体９は容易に配置することができる。プレート本体９を配置した足場板３はゴムバンド７等に固縛材によって固縛する。又、図５に示すように、足場板３が交差して上下に配置される場合においても、上記と同様にして段差部５に前記プレート本体９を配置することができる。図１（ａ）、（ｂ）に示したプレート本体９は、足場板３が木製の足場板３ａ、或いは金属製の足場板３ｂのいずれの場合にも適用することができる。
【００２４】
上記したように、段差部５にプレート本体９を配置したことにより、プレート本体９に備えた傾斜踏み面１１によって段差部５が解消され、これにより、作業者は足場板３上を安全に移動することができる。更に、プレート本体９は簡単な構成を有しており、足場板３の段差部５への設置作業が容易であるために工期の短縮を図ることができる。更に、プレート本体９が弾力性材料によって形成されており、且つ下側の足場板３と上側の足場板３の端部３'近傍との間に挾持されるようにした挾持板１２からなる係止手段を備えているので、段差部５へ設置したプレート本体９が挾持による摩擦力によって設置位置から移動する問題を防止することができる。
【００２５】
又、前記したように弾力性材料によって形成したプレート本体９の挾持板１２を、下側の足場板３と上側の足場板３の端部３'との間に挾持させたので、挾持板１２がクッション材として作用することにより、作業者の歩行や風による振動に基づく騒音を低減することができる。
【００２６】
図２（ａ）、（ｂ）は、図４に示した金属製の足場板３ｂを備えた作業足場に適用するようにした本発明の他の実施例を示すもので、図２（ａ）、（ｂ）に示す弾力性材料で形成しているプレート本体９が図１（ａ）、（ｂ）の実施例と異なるところは、前記挾持板１２は備えておらず、段差部５に嵌合する嵌合部１０に、上側の足場板３ａの上面に延長するようにした延長部１３を形成しており、該延長部１３の下面には、金属製の足場板３ｂの上面に有している孔４に嵌合する係止突部１４を備えることにより係止手段を構成している。このとき、金属製の足場板３ｂの上面には同一位置に規則正しく孔４が形成されているので、前記延長部１３に備えた係止突部１４は確実に孔４に嵌合させることができる。
【００２７】
図２（ａ）、（ｂ）の実施例では、金属製の足場板３ｂを重ねて配置し終えた後において、延長部１３に備えた係止突部１４を上側の足場板３ａの孔４に嵌合することでプレート本体９を配置できるので、前記実施例に比してプレート本体９の配置作業を更に簡略化することができる。更に、上側の足場板３ｂの孔４に嵌合する係止突部１４からなる係止手段を備えたので、段差部５へ設置したプレート本体９は設置位置から移動する問題を確実に防止することができる。
【００２８】
尚、本発明の作業足場における足場板の段差吸収プレートは、上述の実施例にのみ限定されるものではなく、本発明の要旨を逸脱しない範囲内において種々変更を加え得ることは勿論である。
【符号の説明】
【００２９】
１  支柱
２  横材
３  足場板
３'        端部
３ａ        木製の足場板
３ｂ        金属製の足場板
４  孔
５  段差部
８  段差吸収プレート
９  プレート本体
１０  嵌合部
１１  傾斜踏み面
１２  挾持板（係止手段）
１３  延長部（係止手段）
１４  係止突部（係止手段）
５０  作業足場
５１  建築躯体
【図１】
2011052369.tif 000003
【図２】
2011052369.tif 000004
【図３】
2011052369.tif 000005
【図４】
2011052369.tif 000006
【図５】
2011052369.tif 000007
【図６】
2011052369.tif 000008